(57)【特許請求の範囲】
【請求項１】
送信器から送信される信号を受信する受信器、警報を出力する警報器（20）、及び前記受信器が受信した信号に基づいて前記警報器（20）を作動させる制御器（10）が、盗難を防止すべき対象物と移動可能になしてある盗難防止装置において、
前記制御器（10）は、前記送信器の機種別に異なる所定信号を識別する、機種に応じた識別情報を記憶する記憶部（15）と、前記受信器が受信した信号を解析する信号解析部（13）とを備え、
前記受信器は、搬送波に、周波数が周期的に変化する変調波を重畳した信号を受信可能になしてあり、
前記信号解析部（13）は、前記変調波の変調周期を解析して、記憶部（15）に記憶している識別情報と比較すべき情報を得るようになしてあり、
前記制御器（10）は、前記信号解析部（13）が解析して得られた情報と前記記憶部（15）に記憶させた識別情報とを比較し、その比較結果に基づいて、前記警報器（20）を作動させるようになしてあることを特徴とする盗難防止装置。
【請求項２】
前記制御器（10）は、前記受信器が信号を受信したか否かを判断する手段と、信号を受信したと判断した場合、受信した信号が、前記記憶部（15）に識別情報を記憶させる信号であるか否かを判断する手段と、識別情報を記憶させる信号であると判断した場合、信号解析部（13）によって前記情報が得られたか否かを判断する手段と、前記情報が得られたと判断した場合、その情報を記憶部（15）に与えて識別情報として記憶させる手段とを備える請求項１記載の盗難防止装置。
【請求項３】
前記受信器、警報器（20）及び制御器（10）を内蔵し、前記対象物に取り付ける筐体、又は前記受信器、警報器（20）及び制御器（10）を内蔵し、前記対象物を収納する収納器と、前記筐体の対象物への取り付け状態又は前記収納器内の対象物の収納状態を検出する検出器（12）とを備え、前記制御器（10）は、前記検出器（12）の検出結果に基づいて前記警報器（20）を作動させるようになしてある請求項１又は２に記載の盗難防止装置。
【請求項４】
信号を受信する受信器、警報を出力する警報器（20）、及び前記受信器が受信した信号に基づいて前記警報器（20）を作動させる制御器（10）を備える盗難防止装置へ警報を出力させる信号を送信する盗難防止用送信器（27，28）において、
搬送波に、周波数が周期的に変化する変調波を重畳した信号を送信するようになしてあり、
前記変調波の変調周期は自らを識別する識別情報に基づくことを特徴とする盗難防止用送信器。
【請求項５】
信号を受信する受信器、警報を出力する警報器（20）、及び前記受信器が受信した信号に基づいて前記警報器（20）を作動させる制御器（10）が、盗難を防止すべき対象物と移動可能になしてある盗難防止装置と、該盗難防止装置へ警報を出力させる信号を送信する盗難防止用送信器とを備える盗難防止システムにおいて、
請求項１乃至３の何れかに記載の盗難防止装置を備えることを特徴とする盗難防止システム。
【発明の詳細な説明】
【０００１】
【発明の属する技術分野】
本発明は、衣類及びＣＤ等の対象物の盗難を防止すべく発報する自鳴式の盗難防止装置、該盗難防止装置を発報させるべく所定の信号を送信する盗難防止用送信器、並びに前記盗難防止装置及び盗難防止用送信器を備える盗難防止システムに関する。
【０００２】
【従来の技術】
図10は従来の盗難防止装置の一例を示す斜視図であり、主に衣類の盗難を防止するようになしてある。また、図11は図10に示した盗難防止装置を備える従来の盗難防止システムを説明する説明図である。図10に示した如く、短冊状の盗難防止装置本体31の一端面にはワイヤ32の差込み部を差し込む２つの差込み穴が開設してあり、両差込み穴に、導電性のワイヤ32の両端部が着脱可能に嵌合してある。このような盗難防止装置を対象物に取り付ける場合、図11に示した如く、ワイヤ32の一端を盗難防止装置本体31の一方の差込み穴に嵌着させておき、ワイヤ32の他端を上着及びシャツのボタン穴又は衣類の襟元に設けたタグ等（図11では上着のボタン穴）、対象物Ｔの取り付け部位に挿通させ、該他端を盗難防止装置本体31の他方の差込み穴に挿入させる。
【０００３】
出入口には所定の信号を送信する送信器たるゲート50，50が対向配設してあり、該ゲート50，50はゲート50，50の間の適宜領域に前記信号を送信するようになしてある。前述した盗難防止装置本体31は、ゲート50，50から送信された電波信号を受信するアンテナ、ブザー及びバッテリ等を内蔵している。盗難防止装置本体31はゲート50，50から送信された信号を受信した場合、ブザーを作動させて警報音を発し、対象物Ｔの盗難を防止する。
【０００４】
また、前述したワイヤ32は常閉接点として機能しており、盗難防止装置を対象物Ｔから取り除くべく、盗難防止装置本体31の差込み穴からワイヤ32を抜出した場合、又はワイヤ32を切断した場合、盗難防止装置本体31はそれを検出し、ブザーを作動させて警報音を発する。
【０００５】
図12は従来の他の盗難防止装置を示す斜視図であり、ＣＤ又はＤＶＤ等のディスクをケースに収納してなる対象物の盗難を防止するようになしてある。盗難防止装置は、収納すべき対象物のケースの幅寸法と略同じ幅寸法であり、前記ケースの長さ寸法より所定寸法だけ長くなした短冊状の底板41の一縁部上に、前記ケースの高さ寸法と略同じ高さ寸法であり、底板41の幅寸法と同じ幅寸法になした四角柱状の盗難防止装置本体42が立設してあり、盗難防止装置本体42及び底板41の内側の所定領域を、合成樹脂製の透明シート又は半透明シートを平面視がコ字状に折曲してなるフレキシブルなシート部材43で覆って、前記ケースを収納する収納部45が形成してある。
【０００６】
シート部材43の幅寸法及び奥行き寸法は底板41の幅寸法及び長さ寸法と略同じになしてあり、シート部材43の高さ寸法は盗難防止装置本体42の高さ寸法と略同じになしてある。シート部材43の両端近傍の部分は、盗難防止装置本体42の正面及び裏面に対向させてあり、その対向部分は両面粘着テープによって盗難防止装置本体42に貼着してある。また、シート部材43の底板41の先端に対向する部分には、底板41の幅寸法と略同じ幅寸法の凸部44が設けてあり、該凸部44は底板41の背面に直角に折曲させて合成樹脂製の止め部材で底板41に固定してある。
【０００７】
前述した盗難防止装置本体42は警報ブザー及びアンテナ等を内蔵している。また、盗難防止装置本体42の収納部45に対向する側面の略中央には、矩形の穴48が開設してあり、該穴48内には前記警報ブザーを作動させるレバースイッチ49が、該レバースイッチ49の先端部が穴48から少し突出するように揺動自在に設けてある。
【０００８】
このような盗難防止装置では、底板41に対向する開口から収納部45内へ対象物を挿入し、対象物のケースによってレバースイッチ49を穴48内へ傾倒させた状態で、盗難防止装置本体42を起動させた後、盗難防止装置及び対象物を陳列棚に陳列する。このときレバースイッチ49が傾倒しているので、警報ブザーは発報しない。一方、盗難防止装置本体42の動作を停止させることなく、対象物を収納部45から引出してレバースイッチ49が穴48から起頭した場合、盗難防止装置本体42は警報ブザーを作動させて警報を発する。
【０００９】
また、前同様、盗難防止装置及びそれに収納された対象物を所持してゲート50，50（図11参照）内に進入し、ゲート50，50が送信した信号を盗難防止装置本体42が受信した場合、盗難防止装置本体42は警報ブザーを作動させて警報を発する。
【００１０】
【発明が解決しようとする課題】
ところで、前述したゲートは、それぞれ異なった周波数の信号を送信する複数の機種が実用化されている。そのため、従来の盗難防止装置にあっては、何れの機種のゲートから送信された信号でも発報し得るように、比較的広い周波数帯域が設定してある。そのため、盗難防止装置の近傍で携帯電話又は携帯パーソナルコンピュータ等の装置からの信号によって盗難防止装置が誤警報を発する虞があった。また、送信周波数が可変の無線機を用いて、盗難防止装置を故意に発報させることが比較的容易であるという問題もあった。
【００１１】
一方、百貨店又は大型小売店舗では、ひとつのフロア内にメインブース、及びメインブースから独立したサブブースが混在する場合があり、そのような場合、メインブース及びサブブースにそれぞれゲートを設置することが要求されている。しかし、従来の盗難防止装置では、メインブース内にある対象物、及び該対象物に取り付けた盗難防止装置又は対象物を収納する盗難防止装置を保持した状態で、サブブースのゲートを通過した場合、保持した盗難防止装置が発報してしまうため、メインブース及びサブブースの両方にゲートを設置することができない。
【００１２】
本発明はかかる事情に鑑みてなされたものであって、その目的とするところは誤発報を防止すると共に故意に発報させることが困難であり、メインブース及びサブブースの両方にゲートを設置することができる盗難防止装置、該盗難防止装置を発報させるべく信号を送信する盗難防止用送信器、並びに前記盗難防止装置及び盗難防止用送信器を備える盗難防止システムを提供することにある。
【００１３】
【課題を解決するための手段】
第１発明に係る盗難防止装置は、送信器から送信される信号を受信する受信器、警報を出力する警報器、及び前記受信器が受信した信号に基づいて前記警報器を作動させる制御器が、盗難を防止すべき対象物と移動可能になしてある盗難防止装置において、前記制御器は、前記送信器の機種別に異なる所定信号を識別する、機種に応じた識別情報を記憶する記憶部と、前記受信器が受信した信号を解析する信号解析部とを備え、前記受信器は、搬送波に、周波数が周期的に変化する変調波を重畳した信号を受信可能になしてあり、前記信号解析部は、前記変調波の変調周期を解析して、記憶部に記憶している識別情報と比較すべき情報を得るようになしてあり、前記制御器は、前記信号解析部が解析して得られた情報と前記記憶部に記憶させた識別情報とを比較し、その比較結果に基づいて、前記警報器を作動させるようになしてあることを特徴とする。
【００１５】
第２発明に係る盗難防止装置は、第１発明において、前記制御器は、前記受信器が信号を受信したか否かを判断する手段と、信号を受信したと判断した場合、受信した信号が、前記記憶部に識別情報を記憶させる信号であるか否かを判断する手段と、識別情報を記憶させる信号であると判断した場合、信号解析部によって前記情報が得られたか否かを判断する手段と、前記情報が得られたと判断した場合、その情報を記憶部に与えて識別情報として記憶させる手段とを備えることを特徴とする。
【００１７】
第３発明に係る盗難防止装置は、第１又は第２発明において、前記受信器、警報器及び制御器を内蔵し、前記対象物に取り付ける筐体、又は前記受信器、警報器及び制御器を内蔵し、前記対象物を収納する収納器と、前記筐体の対象物への取り付け状態又は前記収納器内の対象物の収納状態を検出する検出器とを備え、前記制御器は、前記検出器の検出結果に基づいて前記警報器を作動させるようになしてあることを特徴とする。
【００１８】
第４発明に係る盗難防止用送信器は、信号を受信する受信器、警報を出力する警報器、及び前記受信器が受信した信号に基づいて前記警報器を作動させる制御器を備える盗難防止装置へ警報を出力させる信号を送信する盗難防止用送信器において、搬送波に、周波数が周期的に変化する変調波を重畳した信号を送信するようになしてあり、前記変調波の変調周期は自らを識別する識別情報に基づくことを特徴とする。
【００２０】
第５発明に係る盗難防止システムは、信号を受信する受信器、警報を出力する警報器、及び前記受信器が受信した信号に基づいて前記警報器を作動させる制御器が、盗難を防止すべき対象物と移動可能になしてある盗難防止装置と、該盗難防止装置へ警報を出力させる信号を送信する盗難防止用送信器とを備える盗難防止システムにおいて、第１乃至３の何れかに記載の盗難防止装置を備えることを特徴とする。
【００２１】
本発明にあっては、盗難防止用送信器から識別情報として、例えば識別コードを含む信号が適宜領域へ送信され、該領域内に盗難防止装置が搬入された場合、盗難防止装置に設けてある制御器は、盗難防止装置に設けてある受信器が受信した信号に含まれる識別コードと、盗難防止装置の記憶部に記憶してある１又は複数の識別コードとを比較し、記憶してある識別コードの内、受信した信号に含まれる識別コードに一致するものがある場合、盗難防止装置に設けてある警報器を作動させる。
【００２２】
このように盗難防止装置は、受信した識別情報が記憶してある識別情報に一致するか否かによって警報器の動作を制御するため、誤発報を防止すると共に盗難防止装置を故意に発報させることが困難である。メインブース及びサブブースにそれぞれ相異なる識別情報を送信する盗難防止用送信器を配設し、メインブース及びサブブースに配置する盗難防止装置に対応する識別情報を記憶させておくことによって、両ブースの両方にゲート（盗難防止用送信器）を設置することができる。
【００２３】
本発明にあっては、例えば、搬送波に変調波を重畳した信号を受信器が受信した場合、制御器に設けてある信号解析部は、その信号を解析して、例えば変調波の変調周期を得る。制御器に設けてある記憶部には、所定の変調周期が予め記憶されており、制御器は、信号解析部が解析して得られた変調周期と、記憶部に記憶してある変調周期とを比較し、両者が略同じである場合、警報器を作動して警報を出力させる。
【００２４】
従って、それぞれ異なった変調周期の変調波を送信波に重畳した信号を送信する複数の機種のゲート（盗難防止用送信器）が存在している場合であっても、盗難防止装置の使用場所に設置してあるゲートが送信する信号に含まれる変調波の変調周期を予め記憶部に記憶させておくことによって、その機種のゲートから送信された信号を受信したときに警報を出力させることができる。
【００２５】
このように、特定の信号を識別することができるため、盗難防止装置の近傍で携帯電話又は携帯パーソナルコンピュータ等の装置からの信号によって盗難防止装置が誤警報を発することが防止される。また、送信周波数が可変の無線機を用いて、盗難防止装置を故意に発報させることが困難である。また、前同様、メインブース及びサブブースの両方にゲート（盗難防止用送信器）を設置することができる。
【００２６】
本発明の盗難防止装置にあっては、制御器は、受信器が信号を受信するまで待機し、信号を受信した場合、その信号が記憶部に識別情報を記憶させる信号であるか否かを判断し、識別情報を記憶させる信号であると判断した場合、再び受信器が信号を受信するまで待機する。そして、受信器が信号を受信したと判断した場合、解析部によって、例えば変調周期が得られたか否かを判断し、それが得られたと判断した場合、その変調周期を記憶部に与えて識別情報として記憶させる。
【００２７】
これによって、盗難防止装置の使用場所に設置してあるゲートが送信する信号に含まれる変調波の変調周期を識別情報として容易に記憶部に記憶させることができる。
【００２８】
本発明の盗難防止装置にあっては、盗難を防止すべき対象物に取り付けた筐体が対象物から取り外されたことを検出器が検出した場合、又は対象物を収納する収納器から対象物が抜き取られたことを検出器が検出した場合、制御器は警報器を作動して警報を出力させる。
【００２９】
【発明の実施の形態】
以下、本発明の実施の形態を図面に基づいて具体的に説明する。
（実施の形態１）
図５は本発明に係る盗難防止装置の一例を示す外観斜視図であり、主に衣類の盗難を防止するようになしてある。短冊状の盗難防止装置本体１の一端面にはワイヤ２の差込み部を差し込む２つの差込み穴が開設してあり、両差込み穴に、導電性のワイヤ２の両端部が着脱可能に嵌合してある。両差込み穴にはワイヤの端部を固定するロック機構がそれぞれ設けてあり、盗難防止装置本体１の側面には、一方の差込み穴に設けたロック機構によるロックを解除するスライダ３が進退可能に設けてある。
【００３０】
また、盗難防止装置本体１のスライダ３に対向する部分近傍の角部には、ＬＥＤを内蔵する発光部４が設けてある。前述したワイヤ２は常閉接点として機能しており、盗難防止装置本体１の内部には、電池並びに、後述するアンテナ、警報音を発する圧電ブザー、及びアンテナが受信した信号及びワイヤ２からの開閉信号に基づいて前記圧電ブザーを作動させるマイクロコンピュータ等が設けてある。
【００３１】
このような盗難防止装置を上着又はシャツ等の対象物に取り付ける場合、ワイヤ２の一端を盗難防止装置本体１の一方の差込み穴に嵌着させておき、ワイヤ２の他端を上着及びシャツのボタン穴又は衣類の襟元に設けたタグ等、対象物の取り付け部位に挿通させ、該他端を盗難防止装置本体１の他方の差込み穴に挿入してロック機構によってロックする。
【００３２】
出入口等には所定の信号を送信するゲートが配設してあり、盗難防止装置本体１は、前記ゲートが送信した信号を受信した場合、後述する如くブザーを作動させて警報音を発し、対象物の盗難を防止する。また、盗難防止装置を対象物から取り除くべく、盗難防止装置本体１の差込み穴からワイヤ２を抜出した場合、又はワイヤ２を切断した場合、盗難防止装置本体１はそれを検出し、ブザーを作動させて警報音を発する。
【００３３】
図１は本発明に係る盗難防止装置の要部構成を示すブロック図であり、図中、６はアンテナである。アンテナ６で受信された信号は増幅器７に与えられ、そこで増幅された信号がマイクロコンピュータ10の入力部12に与えられる。
【００３４】
ところで、前述したゲートは盗難防止装置の誤発報を防止すべく、数ＭＨｚの搬送波に、数十〜数百Ｈｚの帯域で周波数が周期的に変化する変調波を重畳した信号を送信するようになしてある。この変調波の変調周期はゲートの機種別に異ならせてある。
【００３５】
入力部12に信号が与えられた場合、制御部11は与えられた信号がコード信号であるか否かを判断し、コード信号であると判断した場合、ブザー制御部16をして圧電ブザー20に所定回数だけ発報音を発生せしめると共に、発光制御部17をして発光部４に発光せしめた後、そのコードで指定される制御動作を実行する。一方、制御部11は、コード信号でないと判断した場合、入力部12に与えられた信号を解析する信号解析部13を起動する。
【００３６】
信号解析部13は、入力部12に与えられた信号を解析してそれに含まれる変調波の変調周期を求め、それを制御部11に与える。制御部11は、メモリ15からそこに予め記憶してある基準変調周期を読み出し、読み出した基準変調周期と信号解析部13から与えられた変調周期とを比較し、両者が略一致している場合、特定のゲートが送信した信号を受信したと判断し、ブザー制御部16をして圧電ブザー20に警報音を出力せしめる。
【００３７】
前述した入力部12には、常閉接点であるワイヤ２から開閉信号も与えられるようになっており、制御部11はリセットコードが与えられることなく、入力部12から開信号が与えられた場合、ブザー制御部16をして圧電ブザー20に警報音を出力せしめる。
【００３８】
また、マイクロコンピュータ10には、メモリ15に変調周期を記憶させるときに作動させるタイマ14が設けてあり、後述する如く、タイマ14が所定時間を計時する間に受信した信号に含まれる変調波の変調周期を基準変調周期としてメモリ15に与えてそこに記憶させる。
【００３９】
図２、図３及び図４は図１に示したマイクロコンピュータ10の動作を説明するフローチャートである。制御部11は、指令コード信号が与えられるまで待機し（ステップＳ１）、指令コード信号が与えられた場合、それはリセットコード信号であるか否かを判断し（ステップＳ２）、リセットコード信号であると判断した場合、タイマ14、ブザー制御部16及び発光制御部17の動作を予め定めた初期状態になすリセット処理を実行し（ステップＳ３）た後、ステップＳ１へ戻る。
【００４０】
制御部11はステップＳ２でリセットコード信号でないと判断した場合、基準変調周期をメモリ15に記憶させる指令である学習コード信号が与えられたか否かを判断し（ステップＳ５）、学習コード信号でないと判断した場合、後述するステップＳ20へ移る。
【００４１】
一方、制御部11は、ステップＳ５で、学習コード信号であると判断した場合、ブザー制御部16をして圧電ブザー20に１回だけ発報音を発生せしめると共に、発光制御部17をして発光部４を発光せしめた（ステップＳ６）後、タイマ14による計時を開始させる（ステップＳ７）。制御部11は、タイマ14が計時した時間を読み込み、それが予め設定された終了時間に達したか否かを判断し（ステップＳ８）、終了時間に達していないと判断した場合、入力部12に信号が与えられたか否かを判断する（ステップＳ10）。
【００４２】
制御部11は、ステップＳ７〜ステップＳ10までの操作を、ステップＳ８で終了時間に達したと判断するか、又はステップＳ10で入力部12に信号が与えられたと判断するまで繰り返し、信号が与えられていないにも拘わらず、終了時間に達したと判断した場合、前述したリセット処理を実行した（ステップＳ９）後、ステップＳ７へ戻る。
【００４３】
制御部11は、ステップＳ10で、入力部12に信号が与えられたと判断した場合、信号解析部13をしてその信号に含まれる変調波の変調周期を解析せしめ、得られた変調周期をメモリ15に与えて、基準変調周期として記憶させる（ステップＳ11，Ｓ12）。
【００４４】
基準変調周期の記憶（学習）が終了した場合、制御部11は、再び信号解析部13をして入力部21に与えられた信号に含まれる変調波の変調周期を解析せしめる（ステップＳ13）と共に、メモリ15から基準変調周期を読み出し（ステップＳ14）、解析して得られた変調周期と基準変調周期とを比較する（ステップＳ15）。制御部11は、両者が略一致する場合、基準変調周期が正しく設定されたと判断し、ブザー制御部16をして圧電ブザー20に２回だけ発報音を発生せしめると共に、発光制御部17をして発光部４を消光せしめた（ステップＳ16）後、ステップＳ１へ戻る。
【００４５】
一方、ステップＳ15で両者が略一致していない場合、制御部11は、ステップＳ11へ戻り、ステップＳ15で両者が略一致すると判断するまでステップＳ11〜ステップＳ15の操作を繰り返した後、ステップＳ１へ移る。
【００４６】
このようにして、盗難防止装置が使用される場所に配設してあるゲートの機種に応じた基準変調周期を盗難防止装置に設定する。
【００４７】
制御部11は、ステップＳ５で、学習コード信号でないと判断した場合、盗難防止動作の開始コード信号であるか否かを判断し（ステップＳ20）、開始コード信号でない場合、対応する他の処理を実行する（ステップＳ25）。制御部11は、ステップＳ20で開始コード信号であると判断した場合、入力部12に信号が与えられたか否かを判断し（ステップＳ21）、それが与えられていない場合、ワイヤ２から閉信号が与えられているか否かを判断する（ステップＳ22）。そして、制御部11は、ワイヤ２から閉信号が与えられていないと判断した場合、ブザー制御部16をして圧電ブザー20に警報音を出力させる（ステップＳ34）。
【００４８】
また、制御部11は、ステップＳ21で信号が与えられたと判断した場合、それは指令コード信号であるか否かを判断し（ステップＳ23）、そうであると判断した場合、ステップＳ25へ移って対応する処理を実行する。一方、制御部11は、ステップＳ23で指令コード信号でないと判断した場合、信号解析部13をして信号を解析せしめる（ステップＳ30）。制御部11は、信号解析部13から変調波の変調周期が与えられたか否かを判断し（ステップＳ31）、それが与えられない場合、ステップＳ21へ戻る。
【００４９】
また、制御部11は、ステップＳ31で信号解析部13から変調波の変調周期が与えられた場合、メモリ15からそこに記憶してある基準変調周期を読み出し（ステップＳ32）、読み出した基準変調周期と信号解析部13から与えられた変調周期とを比較し（ステップＳ33）、両者が略一致する場合、ブザー制御部16をして圧電ブザー20に警報音を出力させ（ステップＳ34）、両者が略一致しない場合、ステップＳ21へ戻る。
【００５０】
なお、本実施の形態では、ワイヤによって盗難防止装置本体を対象物に取り付けるようになした盗難防止装置について説明したが、本発明はこれに限らず、盗難防止装置本体に取り付けピンの先端を嵌合固定する機構を設けておき、例えば織物の織り目を貫通させた取り付けピンの先端を盗難防止装置本体に嵌合固定することによって、盗難防止装置本体を対象物に取り付けるようになした盗難防止装置にも適用し得ることはいうまでもない。
【００５１】
また、直方体状の筐体の正面にボタンセンサを入出自在に設けておき、該ボタンセンサを対象物に当接させることによってボタンセンサを筐体内へ挿入させ、筐体及び対象物を合成樹脂製のフィルムで巻回することによって筐体を対象物に固定するようになした盗難防止装置にも適用できる。ボタンセンサは筐体から離隔する方向へ付勢してあり、対象物から筐体が取り外された場合、ボタンセンサが突出して警報が出力されるようになしてある。
【００５２】
更に、図12に示した如く、ＣＤ又はＤＶＤ等のディスクをケースに収納してなる対象物を収納する収納部を備える盗難防止装置にも適用できる。
【００５３】
（実施の形態２）
図６は実施の形態２に係る盗難防止システムを説明する説明図であり、メインブースBM及び該メインブースBM内に設けたサブブースBSにそれぞれゲート27，27，28，28が設けてある。メインブースBM及びサブブースBSには対象物（図示せず）がそれぞれ展示してあり、各対象物には盗難防止装置が各対象物と移動可能になしてある。メインブースBMに設けたゲート27，27及びサブブースBSに設けたゲート28，28には信号を送信するアンテナ、ゲートＩＤコードが記憶させてあるメモリ、該メモリに記憶してあるゲートＩＤコードをアンテナに出力する出力器等が内蔵されている。
【００５４】
メインブースBMに設けたゲート27，27に内蔵されたメモリには、ゲートＩＤコードとして、例えばＧＩＤａが記憶させてあり、ゲート27，27は前記メモリからそこに記憶させてあるゲートＩＤコードＧＩＤａを読み出し、両ゲート27，27の間の適宜領域へゲートＩＤコードＧＩＤａの信号を送信する。一方、サブブースBSに設けたゲート28，28に内蔵されたメモリには、例えばＧＩＤｂが記憶させてあり、ゲート28，28は前記メモリからそこに記憶させてあるゲートＩＤコードＧＩＤｂを読み出し、両ゲート28，28の間の適宜領域へゲートＩＤコードＧＩＤｂの信号を送信する。
【００５５】
図７は図６に示した盗難防止装置23，24の要部構成を示すブロック図であり、図８及び図９は図７に示したマイクロコンピュータ10の動作を説明するフローチャートである。制御部11は、指令コード信号が与えられるまで待機し（ステップＳ41）、指令コード信号が与えられた場合、それはリセットコード信号であるか否かを判断し（ステップＳ42）、リセットコード信号であると判断した場合、タイマ14、ブザー制御部16及び発光制御部17の動作を予め定めた初期状態になすリセット処理を実行し（ステップＳ43）た後、ステップＳ41へ戻る。
【００５６】
制御部11はステップＳ42でリセットコード信号でないと判断した場合、ゲートＩＤコードをメモリ15に記憶させる指令である学習コード信号が与えられたか否かを判断し（ステップＳ45）、学習コード信号でないと判断した場合、後述するステップＳ70へ移る。
【００５７】
一方、制御部11は、ステップＳ45で、学習コード信号であると判断した場合、ブザー制御部16をして圧電ブザー20に１回だけ発報音を発生せしめると共に、発光制御部17をして発光部４を発光せしめた（ステップＳ46）後、タイマ14による計時を開始させる（ステップＳ47）。制御部11は、タイマ14が計時した時間を読み込み、それが予め設定された終了時間に達したか否かを判断し（ステップＳ48）、終了時間に達していないと判断した場合、入力部12にゲートＩＤコード信号が与えられたか否かを判断する（ステップＳ50）。
【００５８】
制御部11は、ステップＳ47〜ステップＳ50までの操作を、ステップＳ48で終了時間に達したと判断するか、又はステップＳ50で入力部12にゲートＩＤコード信号が与えられたと判断するまで繰り返し、ゲートＩＤコード信号が与えられていないにも拘わらず、終了時間に達したと判断した場合、前述したリセット処理を実行した（ステップＳ49）後、ステップＳ47へ戻る。
【００５９】
制御部11は、ステップＳ50で、入力部12にゲートＩＤコード信号が与えられたと判断した場合、それをメモリ15に与えて、そこに記憶させる（ステップＳ52）。このようにしてゲートＩＤコードの記憶（学習）が終了した場合、制御部11は、ブザー制御部16をして圧電ブザー20に２回だけ発報音を発生せしめると共に、発光制御部17をして発光部４を消光せしめた（ステップＳ56）後、ステップＳ41へ戻る。このとき、前述したメインブースBM内に配置する盗難防止装置23には、ゲートＩＤコードとしてＧＩＤａを与え、サブブースBS内に配置する盗難防止装置24には、ゲートＩＤコードとしてＧＩＤａ及びＧＩＤｂを与える。
【００６０】
制御部11は、ステップＳ45で、学習コード信号でないと判断した場合、盗難防止動作の開始コード信号であるか否かを判断し（ステップＳ70）、開始コード信号でない場合、対応する他の処理を実行する（ステップＳ75）。制御部11は、ステップＳ70で開始コード信号であると判断した場合、入力部12に信号が与えられたか否かを判断し（ステップＳ71）、それが与えられていない場合、ワイヤ２から閉信号が与えられているか否かを判断する（ステップＳ72）。そして、制御部11は、ワイヤ２から閉信号が与えられていないと判断した場合、ブザー制御部16をして圧電ブザー20に警報音を出力させる（ステップＳ84）。
【００６１】
また、制御部11は、ステップＳ71で信号が与えられたと判断した場合、それは指令コード信号であるか否かを判断し（ステップＳ73）、そうであると判断した場合、ステップＳ75へ移って対応する処理を実行する。一方、制御部11は、ステップＳ73で指令コード信号でないと判断した場合、ゲートＩＤコード信号が与えられたか否かを判断し（ステップＳ81）、それが与えられていない場合、ステップＳ71へ戻る。
【００６２】
また、制御部11は、ステップＳ81でゲートＩＤコード信号が与えられたと判断した場合、メモリ15からそこに記憶してあるゲートＩＤコードを読み出し（ステップＳ82）、与えられたゲートＩＤコード信号のゲートＩＤコードが、読み出したゲートＩＤコード内に存在する否かを判断し、それが存在する場合、ブザー制御部16をして圧電ブザー20に警報音を出力させ（ステップＳ84）、それが存在しない場合、ステップＳ71へ戻る。
【００６３】
これによって、図６に示したメインブースBM内に予め配置された盗難防止装置23は、対象物と共にメインブースBMのゲート27，27の間を通過した場合に発報し、サブブースBSのゲート28，28の間を通過した場合は発報しない。一方、サブブースBS内に予め配置された盗難防止装置24は、サブブースBSのゲート28，28の間を通過した場合に発報し、メインブースBMのゲート27，27の間を通過した場合も発報する。
【００６４】
なお、特許請求の範囲の項に、図面との対照を便利にするために符号を記載してあるが、この記載によって本発明は添付図面の構造に限定されるものではない。
【００６５】
【発明の効果】
以上詳述した如く、本発明にあっては、特定の盗難防止用送信器から送信された信号を識別することができるため、盗難防止装置の近傍で携帯電話又は携帯パーソナルコンピュータ等の装置からの信号によって盗難防止装置が誤警報を発することが防止される。また、送信周波数が可変の無線機を用いて、盗難防止装置を故意に発報させることが困難である。更に、メインブース及びサブブースの両方にゲート（盗難防止用送信器）を設置することができる。
【００６６】
本発明にあっては、例えば、盗難防止装置の使用場所に設置してあるゲートが送信する信号に含まれる変調波の変調周期を、識別情報として記憶部に容易に記憶させることができる等、本発明は優れた効果を奏する。
【図面の簡単な説明】
【図１】本発明に係る盗難防止装置の要部構成を示すブロック図である。
【図２】図１に示したマイクロコンピュータの動作を説明するフローチャートである。
【図３】図１に示したマイクロコンピュータの動作を説明するフローチャートである。
【図４】図１に示したマイクロコンピュータの動作を説明するフローチャートである。
【図５】本発明に係る盗難防止装置の一例を示す外観斜視図である。
【図６】実施の形態２に係る盗難防止システムを説明する説明図である。
【図７】図６に示した盗難防止装置の要部構成を示すブロック図である。
【図８】図７に示したマイクロコンピュータの動作を説明するフローチャートである。
【図９】図７に示したマイクロコンピュータの動作を説明するフローチャートである。
【図１０】従来の盗難防止装置の一例を示す斜視図である。
【図１１】図10に示した盗難防止装置を備える従来の盗難防止システムを説明する説明図である。
【図１２】従来の他の盗難防止装置を示す斜視図である。
【符号の説明】
１    盗難防止装置本体
２    ワイヤ
４    発光部
６    アンテナ
１０  マイクロコンピュータ
１１  制御部
１３  信号解析部
１５  メモリ
２０  圧電ブザー
【図１】
0004548888.tif 000002
【図２】
0004548888.tif 000003
【図３】
0004548888.tif 000004
【図４】
0004548888.tif 000005
【図５】
0004548888.tif 000006
【図６】
0004548888.tif 000007
【図７】
0004548888.tif 000008
【図８】
0004548888.tif 000009
【図９】
0004548888.tif 000010
【図１０】
0004548888.tif 000011
【図１１】
0004548888.tif 000012
【図１２】
0004548888.tif 000013